(57)【要約】【課題】  既設の照明器具の配設領域において、当該照明器具にセンサが容易に配設可能なセンサ付き照明器具を提供する。【解決手段】  センサ付き照明器具１は、光源２と、一端側３ａに開口１８および開口１８の周縁から外方に突出するフランジ部１９を有し、他端側３ｂの内側に光源２が配設される筒状の器具本体３と、中央に器具本体３の開口１８に連通する連通口３１、内部に収納部３９が形成され、この収納部３９にセンサユニット５０が収納されるとともに下方にセンサ部４３が露出するように配設され、器具本体３のフランジ部１９の下面１９ｂ側に取り付けられた環状体４とを具備している。【選択図】図１
2012174588.tif 000002
【特許請求の範囲】
【請求項１】
光源と；
一端側に開口およびこの開口の周縁から外方に突出するフランジ部を有し、他端側の内側に前記光源が配設される筒状の器具本体と；
中央に前記器具本体の開口に連通する連通口、内部に収納部が形成され、この収納部にセンサユニットが収納されるとともに下方にセンサ部が露出するように配設され、前記器具本体のフランジ部の下面側に取り付けられた環状体と；
を具備していることを特徴とするセンサ付き照明器具。
【請求項２】
前記環状体の外周側面にセンサユニットの操作手段が設けられていることを特徴とする請求項１記載のセンサ付き照明器具。
【発明の詳細な説明】
【技術分野】
【０００１】
本発明の実施形態は、人感センサや照度センサなどを有するセンサ付き照明器具に関する。
【背景技術】
【０００２】
省電力などの観点から、人体の有無や周囲の明るさなどに応じて、光源の点灯状態を制御するセンサ付き照明器具が提供されている。この種のセンサ付き照明器具は、検出対象を検出するセンサが一体に設けられている（例えば特許文献１参照。）。この特許文献１の照明器具は、中古の建物において、既設の照明器具と交換するようにして配設される。この場合、既設の照明器具は、廃棄等されている。
【０００３】
既設の照明器具をセンサ付き照明器具に交換すると、既設の照明器具の廃棄や多大な費用等が発生するので、既設の照明器具へセンサの後付け可能な機構が提案されている（特許文献２参照。）。当該後付け機構は、一部に外方に突出する凸部を有するリング状のリング体を照明器具のフランジ部と天井とで挟持するものであり、前記凸部に例えば人感センサが取り付けられる。
【先行技術文献】
【特許文献】
【０００４】
【特許文献１】特開２００３−１４１９２６号公報（第２頁、第１図）
【特許文献２】特許第４２１４６８９号公報（第４頁、第１、２図）
【発明の概要】
【発明が解決しようとする課題】
【０００５】
リング体の外方にセンサが取り付けられる照明器具は、照明器具の配設領域が大きくなるという欠点を有する。また、リング体の凸部が照明器具の外方に突出していることにより、照明器具の美観が低下するという欠点を有する。
【０００６】
本発明は、既設の照明器具の配設領域において、当該照明器具にセンサが容易に配設可能なセンサ付き照明器具を提供することを目的とする。
【課題を解決するための手段】
【０００７】
本実施形態のセンサ付き照明器具は、光源、器具本体および環状体を有して構成される。
【０００８】
器具本体は、一端側に開口およびこの開口の周縁から外方に突出するフランジ部を有する筒状に形成される。そして、他端側の内側に、光源が配設される。
【０００９】
環状体は、器具本体のフランジ部の下面側に取り付けられるものであり、中央に器具本体の開口に連通する連通口、内部に収納部が形成される。そして、収納部にセンサユニットが収納されるとともに下方にセンサ部が露出するように配設されている。
【発明の効果】
【００１０】
本発明の実施形態によれば、センサ付き照明器具は、収納部内にセンサが設けられ、器具本体のフランジ部の下面側に取り付けられる環状体を備えるので、所定機能を有するセンサを備えたセンサ付き照明器具を容易に形成できる。
【図面の簡単な説明】
【００１１】
【図１】本発明の実施形態を示すセンサ付き照明器具であり、（ａ）は概略正面図、（ｂ）は概略下面図である。
【図２】同じく、センサ付き照明器具であり、（ａ）は図２（ｂ）のＡ−Ａ方向の概略側断面図、（ｂ）は光源を取り外した状態の概略下面図である。
【図３】同じく、センサ付き照明器具の概略右側面図である。
【図４】同じく、図２（ａ）のＡ部分の拡大図である。
【図５】同じく、環状体の概略縦断面図である。
【図６】同じく、光源を示し、（ａ）は概略正面図、（ｂ）は概略下面図である。
【図７】同じく、スイッチの設定を示す説明図である。
【図８】同じく、制御ユニットへの配線を示す接続図である。
【発明を実施するための形態】
【００１２】
以下、本発明の一実施の形態について、図面を参照して説明する。
【００１３】
本実施形態のセンサ付き照明器具１は、図１ないし図８に示すように構成されている。
【００１４】
図１において、センサ付き照明器具１は、天井等の造営物に埋め込まれて設置されるダウンライトであり、光源としてのＬＥＤランプ２、器具本体３および環状体４を有してなり、さらにセンサ５および取付け手段６、スイッチ７および制御ユニット８を備えて構成されている。
【００１５】
ＬＥＤランプ２は、フラット形に形成され、器具本体３内に配設されている。図６（ａ）に示すように、ＬＥＤランプ２は、一端側９ａに透光性の保護カバー１０を取り付け、他端側９ｂにＧＸ５３形の口金部１１が形成された略円筒状の筐体９と、この筐体９内に配設されたＬＥＤベアチップを有してなる図示しない発光体およびＬＥＤベアチップを点灯、消灯または調光点灯させる図示しない点灯装置を有して形成されている。筐体９は、例えばポリブチレンテレフタレート（ＰＢＴ）樹脂にて形成され、保護カバー１０は、例えばポリカーボネート（ＰＣ）樹脂にて成型されている。
【００１６】
口金部１１は、筐体９の上面９ｃの中央部に突出形成された円筒状の突出部１２およびこの突出部１２に隣接し突出部１２に対して互いに１８０°の回転位置に配設された一対のランプピン１３，１３からなっている。一対のランプピン１３，１３は、例えば黄銅からなり、先端側が径大の略円筒状に形成され、筐体９内に配線されたリード線により点灯装置の入力側に接続されている。突出部１２の外周面１２ａには、略Ｌ形のキー溝部１４が互いに１８０°の回転位置となるように一対形成されている。このキー溝部１４は、ＬＥＤランプ２が装着されるソケットに設けられるキー凸部に嵌合し、ソケットを介して筐体９を器具本体３に固定するものである。
【００１７】
そして、筐体９の口金部１１側の外周面９ｄには、放熱面積を増加させるための三角形状の凹部１５が一定の間隔で形成されている。また、保護カバー１０の外面１０ａは、平面に形成され、その周縁側には直方体状の指掛け部１６，１６が突出形成されている。図４（ｂ）に示すように、指掛け部１６，１６は、１８０°回転対称に設けられている。また、外面１０ａの周縁側には、器具本体３への装着位置を表示する三角形のマーク１７が形成されている。
【００１８】
図２において、器具本体３は、一端側３ａに円形状の開口１８、この開口１８の周縁から開口１８の周回に亘って外方に突出する円形状のフランジ部１９を有する略円錐台状に形成されている。そして、器具本体３の上面３ｃには、平板状であって略長方形の天板２０が図示しないねじにより取り付けられている。器具本体３は、合成樹脂例えばＡＢＳ樹脂により形成され、天板２０は、鉄板により形成されている。天板２０の長手方向の両端側の一部は、ほぼ直角に折曲されている。
【００１９】
器具本体３の上面３ｃの反対側の下面３ｄには、図２（ａ）に示すように、４本のリブ２１が立設されている。このリブ２１に、図２（ｂ）に示すように、ＬＥＤランプ２が装着されるソケット２２がねじ２３により取り付けられている。ソケット２２は、合成樹脂例えばＡＢＳ樹脂からなり、その外周側に切り欠き２４ａ，２４ｂを有するリング状に形成されている。ソケット２２は、中央孔２５を有する円筒体２６が背面側（器具本体３の下面３ｄ側）に突出するように設けられ、中央孔２５の周りに互いに１８０°回転対称となるように一対のだるま孔２７，２７が形成されている。そして、ＬＥＤランプ２の突出部１２が中央孔２５に挿入され、一対のランプピン１３,１３が一対のだるま孔２７，２７に挿入される。そして、ＬＥＤランプ２が回動されることにより、一対のランプピン１３,１３がソケット２２の背面側にだるま孔２７に沿うように設けられている図示しない一対の受け金にそれぞれ接続する。また、ＬＥＤランプ２のキー溝部１４に円筒体２６に設けられた図示しないキー凸部が嵌合し、ＬＥＤランプ２がソケット２２に固定される。
【００２０】
ソケット２２の一対の受け金は、図示しないリード線により制御ユニット８に接続されている。制御ユニット８は、天板２０の下面２０ｂに配設されている。また、天板２０の下面２０ｂには、商用交流電源に接続される入力用端子台２８と、隣のセンサ付き照明器具１に交流電源を接続する渡り用端子台２９とが配設されている。入力用端子台２８に入力される交流電源は、制御ユニット８に入力される。こうして、図１に示すように、器具本体３は、他端側３ｂの内側に光源としてのＬＥＤランプ２を配設している。
【００２１】
そして、図３に示すように、器具本体３は、その外面３ｅ側に一対の取付けばね３０，３０が設けられている。器具本体３は、一対の取付けばね３０，３０と取付け手段６の後述する環状板３３とにより天井等の造営物を挟持することにより、造営物に取り付けられる。なお、図２（ａ）においては、一対の取付けばね３０，３０は省略している。
【００２２】
図２において、環状体４は、合成樹脂例えばＡＢＳ樹脂により、器具本体３のフランジ部１９よりも幾分径大であって断面略長方形の環状に形成され、その中央に円形状であって器具本体３の開口１８とほぼ同径の連通口３１を有している。すなわち、環状体４は、取付け手段６が形成される分、器具本体３のフランジ部１９よりも径大に形成されている。取付け手段６は、ダボ３２および環状板３３を有してなる。
【００２３】
ダボ３２は、環状体４の外壁面４ｄの内側に形成され、環状体４の周回方向に例えば９０°間隔で４個が設けられている。図４に示すように、ダボ３２は、外壁面４ｄに連設するようにして環状体４と一体化されていて、下面４ｂの反対側の底面４ｅから立設し、その上面３２ａが環状体４の上面４ａと同一面となるように円柱に形成されている。ダボ３２には、ねじ３４が螺着されるねじ孔３５が形成されている。そして、ダボ３２および環状体４の外壁面４ｄは、フランジ部１９の板厚分、内壁面４ｃよりも大きく立設されている。
【００２４】
環状板３３は、所定の肉厚例えば２ｍｍを有する鉄板からなり、環状体４とほぼ同径であって、中央に器具本体３が挿入される挿入孔３６を有するリング状に形成されている。そして、ダボ３２のねじ孔３５に対応する位置に、ねじ３４の頭部３４ａが埋め込まれる凹部３７およびこの凹部３７からねじ３４が貫通される貫通孔３８が形成されている。
【００２５】
環状体４を器具本体３に取り付けるには、環状板３３の挿入孔３６に器具本体３を挿入し、フランジ部１９の上面１９ａに環状板３３を載置する。そして、フランジ部１９の下面１９ｂに環状体４の内壁面４ｃを当接させるとともに、ダボ３２のねじ孔３５に環状板３３の貫通孔３８が正対するように、環状板３３と環状体４とを位置あわせする。そして、環状板３３の凹部３７からねじ３４をダボ３２のねじ孔３５に完全にねじ込む。これにより、器具本体３のフランジ部１９は、環状体４の内壁面４ｃと、環状板３３とにより挟持される。すなわち、環状体４は、器具本体３のフランジ部１９の下面１９ｂ側に取り付けられる。
【００２６】
器具本体３は、一対の取付けばね３０，３０および環状板３３によって図示しない天井を挟持することにより、天井に取り付けられる。そして、既設の照明器具に環状体４を取り付けるときには、当該照明器具を天井から取り外して行えばよい。
【００２７】
そして、図５に示すように、環状体４は、内部に内壁面４ｃおよび外壁面４ｄに沿う収納部としての環状溝３９が形成されている。環状溝３９は、環状体４の周回に亘って形成されている。環状体４の下面４ｂには、環状溝３９に連通する円形状の開口４０が形成されている。また、外壁面４ｄの上面４ａ側には、周回方向に所定長に亘って切り欠きされた切り欠き部４１を有している。開口４０および切り欠き部４１は、互いに近くなるように設けられている。
【００２８】
なお、環状体４は、開口４０および切り欠き部４１が形成され、これらに後述のセンサ５およびスイッチ７が配設される部分が環状溝３９に形成されていれば、残余の部分は、中実な構造であってもよい。しかし、環状体４を可能な限り軽量にするなどの点からして、環状溝３９は、環状体４の周回に亘って形成されるのが好適である。
【００２９】
センサ５は、例えば円形状の基板４２に実装されたセンサ部４３と、略砲弾状に形成され、センサ部４３を覆って基板４２に取り付けられたレンズ４４を有して形成されている。レンズ４４は、図示しない係止爪により基板４２に取り付けられている。レンズ４４は、高密度ポリエチレンにより形成されている。センサ５は、レンズ４４が環状体４の開口４０から下面４ｂの外方に突出されて、そのセンサ部４３が下方に露出するように環状溝３９内に配設されている。
【００３０】
そして、センサ５は、センサ部４３が人体を検出する人感センサ、周囲の明るさを検出する照度センサ、または人感センサおよび照度センサの両方、あるいはリモコンから送信された制御信号を受信する受信素子などに形成されている。基板４２には、検出状態を電気信号に変換する変換回路が形成されている。すなわち、センサ５は、検出対象を検出するように形成されている。
【００３１】
スイッチ７は、電気回路が形成されている回路基板４５に実装されたスイッチ本体４６と、選択的に手動操作される操作手段としての操作子４７を有して形成されている。回路基板４５は、環状溝３９に沿う長形の形状に形成されて、環状溝３９内に設けられている。スイッチ本体４６は、その操作子４７が環状体４の切り欠き部４１から外周側面としての外壁面４ｄに露出するように回路基板４５に実装されている。すなわち、操作手段としての操作子４７は、環状体４の外壁面４ｄに設けられていて、環状体４の外側から操作可能となっている。
【００３２】
そして、スイッチ７は、センサ５の検出に応じてＬＥＤランプ２の点灯状態の制御を設定する３個からなっている。図７に示すように、スイッチ７ａは、センサ５が人体を検出しなくなった時点からＬＥＤランプ２を消灯または調光点灯させる遅延時間を設定するものである。すなわち、操作子４７ａを図中「１０秒」、「１分」、「３分」の位置に移動させることにより、人感センサ５ａが人体を検出しなくなった時点から回路基板４５に設けられているタイマーがカウントを開始し、ＬＥＤランプ２は、当該設定時間後に消灯または調光点灯される。
【００３３】
また、スイッチ７ｂは、人感センサ５ａおよび照度センサ５ｂが検出する人体および周囲の明るさに応じてＬＥＤランプ２の点灯状態を設定するものであり、操作子４７ｂが図中「切」の位置であると、昼夜に係らず、人体を検出するとＬＥＤランプ２が全光点灯され、人体を検出しなくなると、ＬＥＤランプ２が消灯または調光点灯され、操作子４７ｂが「明」の位置であると、夕方など、周囲の明るさが例えば４５ルクス（ｌｘ）以下に低下し薄く暗くなったときに、ＬＥＤランプ２が点灯され、操作子４７ｂが「暗」の位置であると、夜など、周囲の明るさが例えば１５ルクス（ｌｘ）以下に低下して非常に暗くなったときに、ＬＥＤランプ２が点灯されるものである。
【００３４】
また、スイッチ７ｃは、ＬＥＤランプ２の点灯動作を設定するものである。すなわち、操作子４７ｃが図中「オン／オフ」の位置であると、センサ５の検出に応じてＬＥＤランプ２を全光点灯または消灯させ、操作子４７ｃが「調光」の位置であると、センサ５の検出に応じて、ＬＥＤランプ２を全光点灯または調光点灯（例えば２０％点灯)させるものである。
【００３５】
図５において、センサ５は、基板４２から導出されたリード線４８により回路基板４５に接続されている。そして、回路基板４５は、リード線４９により図示しない制御ユニット８に接続されている。ここで、リード線４８およびリード線４９は、それぞれ複数本からなっている。こうして、センサ５およびスイッチ７は、センサユニット５０を構成しており、環状体４の内部に形成された収納部としての環状溝３９に収納されて、制御ユニット８に接続されている。そして、センサユニット５０の操作手段としての操作子４７を環状体４の外周側面としての外壁面４ｄ側で操作することにより、ＬＥＤランプ２の点灯状態を設定可能となっている。
【００３６】
制御ユニット８は、図３に示すように、天板２０の下面２０ｂであって入力用端子台２８および渡り用端子台２９の間に配設されている。すなわち、制御ユニット８は、器具本体３の外側に設けられている。そして、図８に示すように、制御ユニット８は、その入力側が入力用端子台２８を介して商用交流電源Ｖｓに接続され、その出力側がＬＥＤランプ２の点灯装置５１に接続されている。
【００３７】
そして、制御ユニット８は、センサ５の検出およびスイッチ７の前記設定に応じて、ＬＥＤランプ２の点灯状態を制御する既知の構成により形成されている。すなわち、制御ユニット８は、人感センサ５ａ、照度センサ５ｂおよびリモコン受信素子５ｃなどのいずれにも対応し、スイッチ７ａ〜７ｃのいずれの設定にも対応するように形成されている。例えば、半導体スイッチまたはリレーを備えており、センサ５の検出に応じて商用交流電源Ｖｓの交流電圧をＬＥＤランプ２の点灯装置５１に供給または遮断することにより、ＬＥＤランプ２を点灯または消灯させる。また、例えば位相制御素子を備えており、センサ５の検出に応じて商用交流電源Ｖｓの交流電圧の導通位相角を可変して、ＬＥＤランプ２を調光点灯させるように形成されている。
【００３８】
次に、本発明の実施例１の作用について述べる。
【００３９】
制御ユニット８は、人感センサ５ａや照度センサ５ｂなどの複数種のセンサ５が接続され、ＬＥＤランプ２の点灯状態の制御が設定されるスイッチ７ａ〜７ｃが接続されて、センサ５の検出およびスイッチ７ａ〜７ｃの設定に応じてＬＥＤランプ２の点灯状態を制御する。したがって、検出対象に応じたセンサ５を具備することにより、当該センサ５付きの照明器具１が容易に構成される。
【００４０】
そして、センサユニット５０は、そのセンサ５のセンサ部４３が環状体４の下面４ｂの下方に突出するように、環状溝３９内に設けられる。これにより、当該センサ５を有する環状体４が形成される。また、環状体４は、ダボ３２および環状板３３を有する取付け手段６により、器具本体３のフランジ部１９に容易に取り付けられる。したがって、センサ５を具備しない既設の照明器具に対して、そのフランジ部１９に環状体４を取り付けるとともに、例えば天板２０の下面２０ｂに制御ユニット８を取り付けて、この制御ユニット８に環状体４の環状溝３９内に配設されているセンサユニット５０の回路基板４５から導出されるリード線４９を接続するなどすることにより、センサ５付きの照明器具１にすることができる。センサ５は、既設の照明器具の配設領域に設けられる。
【００４１】
本実施形態によれば、環状溝３９内に検出対象のセンサ５が設けられ、器具本体３のフランジ部１９の下面１９ｂ側に取付け手段６により着脱可能に取り付けられる環状体４を備えるので、センサ５を具備しない既設の照明器具に対して環状体４を取り付けること等により、検出対象のセンサ５を有するセンサ付き照明器具１が容易に形成できるという効果を有する。
【００４２】
また、センサユニット５０のスイッチ７の操作子４７は、環状体４の外壁面４ｄに設けられているので、センサ５の検出によるＬＥＤランプ２の点灯状態の設定を容易に行うことができるという効果を有する。
【００４３】
そして、共通の器具本体３を使用して、センサ５付き照明器具１を容易に製造することができ、センサ５の種類のバリエーションを多くした照明器具とすることができるという効果を有する。
【００４４】
なお、本実施形態において、取付け手段６としてのダボ３２および環状板３３は、ねじ３４に連結したが、これに限らず、例えば、それらに嵌合凸部および嵌合凹部を設けて嵌合させて連結してもよい。また、他の取付け手段として、例えば、環状体４の外壁面４ｄ側に係止爪を有する係止片を設けて、当該係止爪を器具本体３のフランジ部１９に引っ掛けることにより、環状体４を器具本体３に取り付けるようにしてもよい。
【００４５】
また、スイッチ７は、上記のように環状体４の外周側面としての外壁面４ｄに設けるのが好適であるが、器具本体３側に設けるようにしてもよい。また、センサ５は、検出対象を検出できれば、環状体４の下面４ｂから突出させるように設けなくてもよく、開口４０に正対するように環状溝３９内に設けられてもよい。
【００４６】
また、センサ付き照明器具１は、天井等に埋め込まれるダウンライトの埋込型照明器具で説明したが、これに限らず、直付け型照明器具や吊り下げ型照明器具などであってもよい。また、光源は、ＧＸ５３形のＬＥＤランプ２で説明したが、これに限らず、ＬＥＤ電球、白熱電球や蛍光ランプなど、照明光を放射するものであればよい。
【符号の説明】
【００４７】
１…センサ付き照明器具、  ２…光源としてのＬＥＤランプ、  ３…器具本体、  ４…環状体、  ４ｄ…外周側面としての外壁面、  ５…センサ、  ６…取付け手段、  １９…フランジ部、  ３１…連通口、  ３９…収納部としての環状溝、  ４３…センサ部、５０…センサユニット
【図１】
2012174588.tif 000003
【図２】
2012174588.tif 000004
【図３】
2012174588.tif 000005
【図４】
2012174588.tif 000006
【図５】
2012174588.tif 000007
【図６】
2012174588.tif 000008
【図７】
2012174588.tif 000009
【図８】
2012174588.tif 000010